(57)【特許請求の範囲】
【請求項１】
排気出口を上部にもち、主バーナを内部に取り付けたケースと、主バーナの下方に設けた酸欠検知バーナと、該酸欠検知バーナの炎を検知する炎検知素子と、該炎検知素子の出力で作動するガス安全弁とを備える燃焼器の酸欠安全装置において、前記ケースの底部に取り付ける底板における前記酸欠検知バーナの炎口の下方位置に、穴を開けないドラフト抑制部を設け、底板の該ドラフト抑制部以外の位置に多数の空気穴を全体的に設け、前記ドラフト抑制部の広さを、使用するガスのリフト性が大きいものでは広く、小さいものでは狭く設定したことを特徴とする燃焼器の酸欠安全装置。
【発明の詳細な説明】
【０００１】
【発明の属する技術分野】
本発明は、ガスを燃料とするストーブ、湯沸かし器の如き燃焼器に関し、更に詳しくは、燃焼器を設置した室内の空気が酸欠状態になったときガスを止めるようにした、燃焼器の酸欠安全装置に関する。
【０００２】
【従来の技術】
従来、燃焼器を設置した室内の空気が酸欠状態であるか否かを検知し、酸欠状態になった場合にガスを止める酸欠安全装置は知られており、該装置としては、例えば実開平2-36745 号公報に示されるものがある。該装置は、燃焼器のケースに常火の酸欠検知バーナとこれに対向するサーモカップルを設け、該サーモカップルの出力が変化したとき、主バーナのガス安全弁を閉じるようにしてあり、また、酸欠検知バーナの炎が風で揺れてサーモカップルの出力が乱れるのを防止するために、該酸欠検知バーナを覆体でカバーしている。
【０００３】
燃焼器を設置した室内の空気が酸欠状態になると酸欠検知バーナの炎が伸び、ついに酸欠炎となってリフトし、この状態変化に伴ってサーモカップルで検出する温度と出力が変化するから、これによりガス安全弁は閉じる。
【０００４】
しかし、このリフト状態は、ガス種によって異なり、ガス安全弁が作動する酸素濃度もガス種によって異なる。しかも、酸欠検知バーナの炎の揺れを防止する覆体の大きさも適切でなければ、同じ酸素濃度でもガス安全弁が作動しない場合がある。
【０００５】
【発明が解決しようとする課題】
本発明は、燃焼器の酸欠安全装置が正しく作動できるようにすること、及び該装置を低コストで作ることを課題とする。
【０００６】
【課題を解決するための手段】
前記課題を解決するための手段は、請求項１に記載したとおり、排気出口を上部にもち、主バーナを内部に取り付けたケースと、主バーナの下方に設けた酸欠検知バーナと、該酸欠検知バーナの炎を検知する炎検知素子と、該炎検知素子の出力で作動するガス安全弁とを備える燃焼器の酸欠安全装置において、前記ケースの底部に取り付ける底板における前記酸欠検知バーナの炎口の下方位置に、穴を開けないドラフト抑制部を設け、底板の該ドラフト抑制部以外の位置に多数の空気穴を全体的に設け、前記ドラフト抑制部の広さを、使用するガスのリフト性が大きいものでは広く、小さいものでは狭く設定したことを特徴とする。
【０００７】
該手段によれば、ケース内に底部から異物が侵入するのを底板で防止することができ、且つガス種に適応した広さのドラフト抑制部をもつ底板をケースに取り付ければ、酸欠検知バーナの炎がドラフト空気によって変動されず、適正に酸欠状態が検出できる。
【０００８】
【発明の実施の形態】
以下、図面を参照して本発明を壁掛け型のガスストーブに実施した形態を説明する。図１，２で１は燃焼器として壁掛け型のガスストーブを示し、２はそのケースで、該ケース２は、前面板３、上板４、後面板５、底板６を結合してなり、前面板３の上部に排気出口７が設けられる。底板６は、図３（Ａ）（Ｂ）に示すように、多数の空気穴６ａと面積が異なるドラフト抑制部６ｂ1 又は６ｂ2 をもつ２種類があり、面積の小さいドラフト抑制部６ｂ1 をもつ底板６1 は、リフト性の小さいガス、例えば１３Ａガスの場合に使用され、面積の大きいドラフト抑制部６ｂ2 をもつ底板６2 は、リフト性の大きいガス、例えばＬＰＧの場合に使用される。
【０００９】
後面板５の内部両側には縦ビーム８，９が固定され、両縦ビーム８，９の下方位置に渡って主バーナ１０が固定され、該主バーナ１０の前方下位にパイロットバーナ取り付け板１１が固定されている。一方の縦ビーム９の外側面には、ガス安全弁１２ａを内設したガス元弁１２が取り付けられ、これにガス流入管１３，主ガス管１４，パイロットガス管１５が接続される。前記ガス流入管１３ａの入り口にはガスホース接続管１６が接続され、主ガス管１４の先端は主バーナ１０に接続され、パイロットガス管１５の先端は主バーナ１０への点火用のパイロットバーナ１７に接続される。該パイロットバーナ１７は、酸欠検知バーナであり、この該パイロットバーナ１７と点火プラグ１８とサーモカップル１９は、セット板２０を介してパイロットバーナ取り付け板１１に固定される。
【００１０】
サーモカップル１９は、パイロットバーナ１７の炎の温度を検知するための炎検知素子として作用し、そのリード線１９ａがガス安全弁１２に接続されている。なお、サーモカップル１９の出力を図外の制御回路に入力し、該制御回路によってガス安全弁１２ａを制御するようにしてもよい。
【００１１】
この実施の形態は、主バーナ１０に点火するためのパイロットバーナ１７を酸欠検知バーナとして使用するものであるが、これとは別の小さいバーナを取り付けて使用してもよい。
【００１２】
また、２２ａはケース２内の前部に設けた前部排気ガイド板、２２ｂはケース２内の後部に設けた後部排気ガイド板、２３は前記ガス流入管１３の固定具であり、ガス元弁１２の弁軸１２ｂに係合した調節軸２４が上板４を貫通して設けられ、これに摘み２４ａが取り付けられる。
【００１３】
点火プラグ１８から火花放電してパイロットバーナ１７に点火し、パイロットバーナ１７の炎で主バーナ１０に着火して主バーナ１０を燃焼させると、これに伴ってドラフトが生じ、底板６のドラフト抑制部以外の位置に全面的に均等に設けた空気穴６ａから室内の空気が前部排気ガイド板２２ａと後部排気ガイド板２２ｂの間に流れ込み、その一部は主バーナ１０の燃焼用空気となり、残部は排気と共に排気出口７から排出される。このとき、図４に示すように、主バーナ１０の燃焼によるドラフト空気ｇが空気穴６ａを流れても、底板６の前記ドラフト抑制部６ｂ1 又は６ｂ2 は、ドラフト空気ｇを通さないから、炎ｆは、ドラフト空気ｇの流勢の影響を受けず安定した状態で燃焼し、炎ｆとサーモカップル１９は一定の関係を保つ。しかし、室内の空気が酸欠の状態になると、炎ｆは酸素不足でリフト炎ｆ1 となってサーモカップル１９から離れ、サーモカップル１９の検出温度が低下するから、ガス安全弁１２ａを閉じて主バーナ１０とパイロトバーナ１７を消火する。
【００１４】
前記ドラフト抑制部６ｂ1 又は６ｂ2 の面積は、ガスのリフト性が小さいものでは狭く、大きいものでは広くしてあり、例えばガス種が１３Ａのときは狭いドラフト抑制部６ｂ1 をもつ底板６1 を使用し、ＬＰＧのときは広いドラフト抑制部６ｂ2 をもつ底板６2 を使用する。このように、リフト性の大きいＬＰＧなどにはドラフト抑制部の面積が大きい底板６2 を使うので、酸欠検知バーナーとしてのパイロットバーナー１７へのドラフト作用が少なく、ガス安全弁１２ａが早切れすることがない。一方、リフト性の小さい１３Ａのときはドラフト抑制部の面積が小さい底板６1 を使うので、パイロットバーナー１７へのドラフト作用が大きく、ガス安全弁１２ａが遅切れすることがない。
【００１５】
なお、図５は参考例を示し、主バーナ１０の背後に遮風板２５を設け、前記パイロットバーナ取り付け板１１と遮風板２５で主バーナ１０の前後を挟んで、炎ｆにドラフト空気ｇが直接接触しないようにしたもので、このようにすれば、炎の冷却が遅れるから、有害なＮＯ2 が出にくい。
【００１６】
【発明の効果】
以上のとおり、請求項１の手段によれば、ガス種に適応した広さのドラフト抑制部をもつ底板をケースに取り付けることにより、酸欠検知バーナの炎がドラフト空気によって変動されず、適正にガス安全弁を作動できる効果がある。また該底板により異物がケース内に侵入するのを防止できる。
【図面の簡単な説明】
【図１】  本発明の実施の形態を示す正面図
【図２】  同じく縦断側面図
【図３】  ２種類の底板の平面図
【図４】  要部の正面図
【図５】  参考例の側面図
【符号の説明】
２  ケース                  ６，６1,６2   底板
６ａ  空気穴                ６ｂ1 ，６ｂ2   ドラフト抑制部
１０  主バーナ              １２  ガス元弁
１２ａ  ガス安全弁          １７  酸欠検知バーナ
１９  サーモカップル
【図１】
0003712499.tif 000002
【図２】
0003712499.tif 000003
【図３】
0003712499.tif 000004
【図４】
0003712499.tif 000005
【図５】
0003712499.tif 000006